(57)【要約】【課題】キーボタンの向きを規制できるようにする。【解決手段】ファン１０を駆動するモーター１１を支持するスタンド１内に回路基板２が収容され、回路基板２には、モーター１１の運転を操作するタクタイルスイッチ２ａが外部操作可能に搭載された扇風機１００であって、タクタイルスイッチ２ａを外部操作するための操作部１ａを備え、この操作部１ａは、タクタイルスイッチ２ａに当接してタクタイルスイッチ操作方向に可動となるよう、スタンド１に一体に設けられたスイッチボス１ｃと、スイッチボス１ｃの上部に配置されたキーボタン４と、キーボタン４が挿入される穴５ａを有し、スタンド１の上面に固定された意匠パネル５とを備え、キーボタン４の裏面周縁部には、窪み部４ａが設けられ、意匠パネル５の穴５ａの内周面には、窪み部４ａと少なくとも周方向で係合できる突起部５ｂが設けられているものである。【選択図】図４
2015014269.tif 000002
【特許請求の範囲】
【請求項１】
ファンを駆動するモーターを支持するスタンド内に回路基板が収容され、該回路基板には、前記モーターの運転を操作するタクタイルスイッチが外部操作可能に搭載された扇風機であって、
前記タクタイルスイッチを外部操作するための操作部を備え、
前記操作部は、
前記タクタイルスイッチに当接してタクタイルスイッチ操作方向に可動となるよう、前記スタンドに一体に設けられたスイッチボスと、
前記スイッチボスの上部に配置されたキーボタンと、
前記キーボタンが挿入される穴を有し、前記スタンドの上面に固定された意匠パネルと、
前記キーボタンの裏面周縁部に設けられた窪み部と、
前記意匠パネルの前記穴の内周面に前記窪み部と少なくとも周方向で係合できるように設けられた突起部と、
を備えることを特徴とする扇風機。
【請求項２】
前記キーボタンを透光素材で構成し、該キーボタンの前記窪み部を除く部分に不透光処理を施したことを特徴とする請求項１に記載の扇風機。
【請求項３】
前記キーボタンの下部に発光ダイオードを設けたことを特徴とする請求項２に記載の扇風機。
【請求項４】
前記スイッチボスと前記キーボタンとの間に防水シートを配置したことを特徴とする請求項１〜３のいずれか一項に記載の扇風機。
【請求項５】
前記キーボタンを前記スイッチボス又は前記防水シートに接着固定したことを特徴とする請求項４に記載の扇風機。
【発明の詳細な説明】
【技術分野】
【０００１】
本発明は、送風機部とこれを支えるスタンドとを有する扇風機、特にスタンドに押し下げボタン式の操作部を備えた扇風機に関する。
【背景技術】
【０００２】
近年、扇風機は、ユーザーの用途の多様化などから高機能化が進んでおり、この高機能化に伴い、操作スイッチ及び運転状態を表示する発光ダイオードの数も増える傾向にある。
【０００３】
また、同時に使い易さへのニーズ、意匠性での要求も高まっており、扇風機は、多くの機能を持ちながら、操作性及び意匠性を損なわないことが必要とされている。
【０００４】
送風機部を支えるスタンドに、押し下げボタン式の操作部を備えた扇風機としては、スタンドの上部壁の裏側に、タクタイルスイッチを搭載した回路基板を支持したものがある。このようなものにおいては、スタンドに、有底円筒状のスイッチボスをタクタイルスイッチに当接して進退できるように設けている。そして、スイッチボスとその上面に配置されるキーボタンとの間には、防水シートを配置している。また、キーボタンには軸を設け、この軸は防水シートに形成した貫通孔を通してスイッチボスの円筒内に挿入し固定している。そして、スタンドのスイッチボスの上面とキーボタンのボタン部の下面は、それぞれ防水シートを挟むようにその貫通孔のエッジ部と接着し、防水シートの貫通孔から回路基板の充電部への液体の浸入を防止できるようにしている（例えば、特許文献１参照）。
【０００５】
また、送風機部を支えるスタンドに、押し下げボタン式の操作部を備えた別の扇風機としては、スタンドの上部壁の裏側に、複数の発光ダイオード及びタクタイルスイッチを搭載した制御基板を支持したものがある。このようなものにおいては、受光面を有した光透過体を介して、発光ダイオードの光をスイッチ操作体に照射するようにしている。そして、スイッチ操作体の上には、表示文字やデザイン上の印刷が施された操作パネルを貼り付けてあり、操作ボタンは操作パネルにエンボス加工したシートを貼り付けた構造としている。
このように、スイッチ操作体を発光ダイオードで照射することによって、操作パネル上の操作ボタンを照らし、暗い室内等でも操作スイッチの所在位置を分かり易くさせ、また、運転状態を容易に認識し易くするという構造が取られている（例えば、特許文献２参照）。
【先行技術文献】
【特許文献】
【０００６】
【特許文献１】特開２０１１−１９０６９２号公報（図２〜図５）
【特許文献２】特開平０６−２０７５９６号公報（図２〜図５）
【発明の概要】
【発明が解決しようとする課題】
【０００７】
特許文献１に記載の技術では、キーボタンの向きを規制する手段がないため、キーボタンが軸を中心に自由回動するのを防ぐことはできない。したがって、読み取るために方向性を必要とする例えば文字をキーボタン上に表示することができない、あるいはキーボタンとスイッチボスと防水シートとの組付時に、キーボタンの向きを文字に合わせて目視により定める必要がある。
【０００８】
さらに、特許文献１に記載の技術では、キーボタンの軸がスイッチボスの円筒内に差し込まれる構造であるため、キーボタンを透光素材で構成した場合、それらの内部構造が見えてしまうという問題があり、キーボタンを透光素材で構成することができない。このため、意匠デザインの幅が制限される、あるいはキーボタンそのものに発光ダイオードの光を透過させるといった構造をとることができず、暗い室内等ではキーボタンの所在位置が分かりづらく、また、運転状態を判別しづらい。
【０００９】
特許文献２に記載の技術では、光透過体、スイッチ操作体、操作パネルといった構成部品を必要とし、構成部品が多くなるため構造が複雑となり、また、光透過体を介した位置へ発光ダイオードを配置するため、回路基板及び回路基板を支持する筐体が大型化する傾向があり、コストが高くなる。
【００１０】
また、特許文献２に記載の技術では、操作部の意匠面が操作ボタンをエンボス加工したシートを貼り付けて成るため、見た目が安価で意匠性に劣る。
【００１１】
さらに、特許文献２に記載の技術では、操作パネルにエンボス加工したシートを貼り付けて成る操作ボタンは、キーボタンと比較して、操作感が悪いという難点がある。
【００１２】
本発明は、前記のような課題の少なくとも１つを解決するためになされたもので、キーボタンの向きを規制できるようにすることを主目的としている。
【課題を解決するための手段】
【００１３】
本発明に係る扇風機は、ファンを駆動するモーターを支持するスタンド内に回路基板が収容され、回路基板には、モーターの運転を操作するタクタイルスイッチが外部操作可能に搭載された扇風機であって、タクタイルスイッチを外部操作するための操作部を備え、操作部は、タクタイルスイッチに当接してタクタイルスイッチ操作方向に可動となるよう、前記スタンドに一体に設けられたスイッチボスと、スイッチボスの上部に配置されたキーボタンと、キーボタンが挿入される穴を有し、スタンドの上面に固定された意匠パネルと、キーボタンの裏面周縁部に設けられた窪み部と、意匠パネルの前記穴の内周面に前記窪み部と少なくとも周方向で係合できるように設けられた突起部と、を備えるものである。
【発明の効果】
【００１４】
本発明に係る扇風機においては、キーボタンの裏面周縁部に、窪み部が設けられ、意匠パネルの穴の内周面には、窪み部と少なくとも周方向で係合できる突起部が設けられているので、キーボタンの向きを規制することができる。そのため、キーボタンを例え円形で構成した場合でも、その向きを一定の方向に規制することができ、その自由回動を抑制することができる。そのため、キーボタン上に文字を表示することができる。
【図面の簡単な説明】
【００１５】
【図１】本発明の実施形態に係る扇風機の外観を示す斜視図である。
【図２】本発明の実施形態に係る扇風機のスタンドと操作部の分解斜視図である。
【図３】本発明の実施形態に係る扇風機の操作部の縦断面図である。
【図４】本発明の実施形態に係る扇風機の操作部の拡大断面図である。
【図５】本発明の実施形態に係る扇風機の操作部の意匠パネル及びキーボタンを示す平面図である。
【図６】図５の要部を拡大して示す平面図である。
【図７】本発明の実施形態に係る扇風機の操作部の意匠パネルの下面図である。
【図８】本発明の実施形態に係る扇風機の操作部のキーボタンの下面図である。
【図９】本発明の実施形態に係る扇風機の操作部の防水シートの平面図である。
【発明を実施するための形態】
【００１６】
図１は本発明の実施形態に係る扇風機の外観を示す斜視図である。図２は本発明の実施形態に係る扇風機のスタンドと操作部の分解斜視図である。図３は本発明の実施形態に係る扇風機の操作部の縦断面図である。図４は本発明の実施形態に係る扇風機の操作部の拡大断面図である。
本発明の実施形態に係る扇風機１００は、図１に示すように、送風機部１２と、この送風機部１２を床面から支持するスタンド１とを備えている。送風機部１２は、ファン１０及びこのファン１０を駆動するモーター１１を有している。
【００１７】
スタンド１の操作部１ａの内部には、図２〜図４に示すように、回路基板２が収納されている。回路基板２は、取付ボス１ｂにてスタンド１に固定されている。回路基板２には、電源のＯＮ／ＯＦＦ、風量調節を行なう各種のタクタイルスイッチ２ａが搭載されている。スタンド１には、各タクタイルスイッチ２ａにそれぞれ当接できる複数のスイッチボス１ｃが設けられている。各スイッチボス１ｃは、それぞれアーム１ｄに弾性的に保持されて上下方向、つまりタクタイルスイッチ操作方向に可動となるよう、アーム１ｄと共にスタンド１に一体成型されている。
【００１８】
回路基板２には、複数の発光ダイオード２ｂが搭載されている。各発光ダイオード２ｂは、図４に示すように、スタンド１の穴１ｅに挿入されている。スタンド１の操作部１ａの上面には、防水シート３が接着固定されている。また、スイッチボス１ｃ上部には、防水シート３を介してキーボタン４が接着固定されている。発光ダイオード２ｂは、防水シート３とキーボタン４とを、裏面から照射する。
【００１９】
防水シート３は、スタンド１の回路基板２の上部にある開口部１ｆを覆っており、回路基板２への液体の浸入を防ぐ。
【００２０】
キーボタン４の一側の裏面周縁部には、図４のように窪み部４ａが設けられている。意匠パネル５には、スタンド１の開口部１ｆに対応する位置に、キーボタン４を挿入させる穴５ａが形成され、穴５ａの内周面の一側にキーボタン４の窪み部４ａと係合できる突起部５ｂが設けられている。すなわち、意匠パネル５の突起部５ｂとキーボタン４の裏面周縁部に設けた窪み部４ａとを勘合させ、穴５ａにキーボタン４を挿入することで、キーボタン４が円形であっても、穴５ａ内でのキーボタン４の自由回動を規制できる。
【００２１】
図５は本発明の実施形態に係る扇風機の操作部の意匠パネル及びキーボタンを示す平面図である。図６は図５の要部を拡大して示す平面図である。
意匠パネル５は、図５、図６及び前述の図３、図４に示すように、スタンド１の上面に接着固定される。そして、意匠パネル５の突起部５ｂとキーボタン４の窪み部４ａとを勘合させ、穴５ａにキーボタン４を挿入することで、意匠パネル５はキーボタン４が円形であっても穴５ａ内でのキーボタン４の自由回動を規制できる。そのため、キーボタン４の向きを一定の方向に向かせることができる。そして、読み取るために方向性を必要とする文字を、その向きを窪み部４ａの向きに応じて調整することで、キーボタン４上に表示して読み取らせることができる。
【００２２】
意匠パネル５及びキーボタン４は、いずれも透光素材、例えば透明樹脂で構成されている。キーボタン４は、窪み部４ａを除く裏面に印刷を施すことによって、意匠性を高めることができる。
【００２３】
図７は本発明の実施形態に係る扇風機の操作部の意匠パネルの下面図である。図８は本発明の実施形態に係る扇風機の操作部のキーボタンの下面図である。
図７に示す意匠パネル５の斜線部は、裏面に施した不透明な印刷のある範囲を示し、突起部５ｂは印刷なしとしている。また、図８に示すキーボタン４の斜線部は、意匠パネル５と同様に、裏面に施した不透明な印刷のある範囲を示している。キーボタン４の窪み部４ａは、キーボタン４の裏面の一側縁部に凹陥させて形成されている。このため、裏面に印刷処理した場合でも、窪み部４ａは印刷されず、透明性を維持できる。このため、意匠パネル５の突起部５ｂと、キーボタン４の窪み部４ａの互いに印刷のない透明な部分が合致し、この透明な部分から発光ダイオード２ｂの光を透過させて発光させることができる。
【００２４】
図９は本発明の実施形態に係る扇風機の操作部の防水シートの平面図である。
図９に示す防水シート３の斜線部は、印刷のある範囲を示し、斜線部以外の部分ａ，ｂ，ｃ，ｄは透明であり、意匠パネル５の突起部５ｂ及び、キーボタン４の窪み部４ａの位置に合致する。この斜線部以外の透明な部分ａ，ｂ，ｃ，ｄは、発光ダイオード２ｂの光を透過するため、前述の意匠パネル５の突起部５ｂ及びキーボタン４の窪み部４ａから発光ダイオード２ｂの光が透過し、拡散される。
【００２５】
キーボタン４は、接着により防水シート３の上面に固定される。図８に示すキーボタン４の斜線部（不透明な印刷のある範囲）に接着剤が塗布される。このように、接着剤が塗布されるのは不透明な印刷のある範囲としているため、外面、つまり外から見える部分に接着剤が露出するなど意匠性を損なうことはない。
【００２６】
本発明の実施形態に係る扇風機１００は、以上のように意匠パネル５の突起部５ｂとキーボタン４の窪み部４ａを勘合させることができる。そのため、キーボタン４を円形で構成した場合でもその向きを一定の方向に規制することができる。このため、キーボタン４上に文字を表示することができる。
【００２７】
また、キーボタン４を透明樹脂（透光素材）で構成し、キーボタン４の窪み部４ａを除く部分に不透光処理を施したので、キーボタン４を透光素材で構成しても複雑な構造物が透けて見えることがなく、意匠性を上げることができる。このため、意匠デザインの自由度を広げることができる。
【００２８】
また、キーボタン４の下部に発光ダイオード２ｂを設けたので、キーボタン４の窪み部４ａを直接発光ダイオード２ｂで照らすことができる。このため、窪み部４ａから光を透過させるような構成が可能となる。こうすることで、暗い室内等でもキーボタン４の所在位置が分かり、また運転状態を容易に認識することができる。
【００２９】
また、スイッチボス１ｃと前記キーボタン４との間に防水シート３を配置したので、キーボタン４のスタンド１への固定は、防水シート３への接着だけで済み、固定のための構造物が不要となる。また、これによって回路基板２の充電部への防水機能を果たす防水シート３はスイッチボス１ｃの上面に設け、意匠パネル５及びキーボタン４は防水シート３よりも上面に設けることができる。このため、操作性、意匠性に優れる扇風機１００が得られ、かつ防水性を得ることができる。
【００３０】
また、キーボタン４をスイッチボス１ｃ又は防水シート３に接着固定したので、意匠性が高く、操作性がよく、暗闇等でも所在位置が分かり易く、運転状態を判別し易い構造としたキーボタン４を有した扇風機１００を安価に提供できる。かつ、液体が掛けられた場合でも回路基板２への液体の浸入を防ぐ安全性を確保された扇風機１００を提供できる。
【符号の説明】
【００３１】
１  スタンド、１ａ  操作部、１ｂ  取付ボス、１ｃ  スイッチボス、１ｄ  アーム、１ｅ  穴、１ｆ  開口部、２  回路基板、２ａ  タクタイルスイッチ、２ｂ  発光ダイオード、３  防水シート、４  キーボタン、４ａ  窪み部、５  意匠パネル、５ａ  穴、５ｂ  突起部、１０  ファン、１１  モーター、１２  送風機部、１００  扇風機、ａ，ｂ，ｃ，ｄ  斜線部以外の部分。
【図１】
2015014269.tif 000003
【図２】
2015014269.tif 000004
【図３】
2015014269.tif 000005
【図４】
2015014269.tif 000006
【図５】
2015014269.tif 000007
【図６】
2015014269.tif 000008
【図７】
2015014269.tif 000009
【図８】
2015014269.tif 000010
【図９】
2015014269.tif 000011